(57)【特許請求の範囲】
【請求項１】
乳房を覆う前中心部分で左右が繋ぎ合わされたカップ部とカップ部下方に位置し、且つ重ね合わされた状態の二枚のカップ台とを備え、右カップ部の下辺に縫着したカップ台は、左カップ部の下辺には縫着せずに遊離させ、左カップ部の下辺に縫着したカップ台は、右カップ部の下辺には縫着せずに遊離させてあり、前記各カップ台を、バック布、及びアンダーテープに縫着してあり、これらカップ部とカップ台からなる部分の表側に、当該部分とは遊離したフロント布を設けてあり、
カップ台の前中心下部とバック布の後中心下部をアンダーテープに縫着しないことでホールを設けてあることを特徴とするブラジャー。
【請求項２】
ブラジャーの裏側になるカップ台の前中心下部にホールを設けて、ブラジャーの表側になるフロント布にはホールを設けていないことを特徴とする請求項１に記載のブラジャー。
【請求項３】
バック布は２重以上の構造として、後中心下部に少なくとも二つ以上のホールを設けてあることを特徴とする請求項１に記載のブラジャー。
【発明の詳細な説明】
【技術分野】
【０００１】
本発明は、ブラジャーに関するものである。
【背景技術】
【０００２】
例えばスポーツ用のブラジャーとして、運動の強度別にさまざまなブラジャーがあるが、特に激しい運動や競技用のものになると締め付けが強すぎて着用感が良くなく、動きづらくなるという問題がある。また、激しい運動により身体に対してブラジャーがズレてしまった場合にそのままの状態で元に戻らないこともある。例えば特許文献１には、左右のカップ台をそれぞれ遊離させた状態で左右のカップ台をＸ字状に交差させ、前中心に空間が設けられているブラジャーが開示されている。また、特許文献２には、構成部材に、複数本のゴム紐を１本のベルト状ゴムに編成してなるカービングゴムを用いたスポーツブラジャーが開示されている。
【先行技術文献】
【特許文献】
【０００３】
【特許文献１】特許第３３７３７９３号公報
【特許文献２】特開２０００−２２０００５号公報
【発明の概要】
【発明が解決しようとする課題】
【０００４】
前者は、左右の乳房にそれぞれ融通性をもたせようとするもので、運動への追従性は良く、洗濯物を干したり取り入れたりするとき、掃除をするときなど、胸部を捩じらせる上半身の運動を要する通常の家事労働には適しているけれども、乳房の揺れなどに対する抑制力が弱く、激しい運動には向いていない。後者は、激しい運動に対処するために十分なサポートを得られるものの、締め付けが強く、ゴムの伸縮力の強さから動作の妨げになることもあり、着脱も困難である。
【０００５】
本発明は上述の事柄を考慮に入れてなされたものであり、例えばラグビー、レスリング、バスケットボール、バレーボール等の激しい運動に対応するサポート力を備えつつも、締め付け感を軽減して着用感を良くすることができるとともに、運動の妨げにならず、着脱も従来のものより容易にできるブラジャーを提供することを目的としている。
【課題を解決するための手段】
【０００６】
上記目的を達成するため、本願の請求項１に係る発明は、乳房を覆う前中心部分で左右が繋ぎ合わされた左右のカップ部とカップ部下方に位置し、且つ重ね合わされた状態の二枚のカップ台とを備え、右カップ部の下辺に縫着したカップ台は、左カップ部の下辺には縫着せずに遊離させ、左カップ部の下辺に縫着したカップ台は、右カップ部の下辺には縫着せずに遊離させてあり、前記各カップ台を、バック布、及びアンダーテープに縫着してあり、これらカップ部とカップ台からなる部分の表側に、当該部分とは遊離したフロント布を設けてあり、カップ台の前中心下部とバック布の後中心下部をアンダーテープに縫着しないことでホールを設けてあることを特徴とするブラジャーを提供する。
【０００７】
【０００８】
また、本願の請求項２に係る発明は、ブラジャーの裏側になるカップ台の前中心下部にホールを設けて、ブラジャーの表側になるフロント布にはホールを設けていないことを特徴とする請求項１に記載のブラジャーを提供する。
【０００９】
また、本願の請求項３に係る発明は、バック布は２重以上の構造として、後中心下部に少なくとも二つ以上のホールを設けてあることを特徴とする請求項１記載のブラジャーを提供する。
【発明の効果】
【００１０】
本願発明では、乳房を覆う左右のカップ部とカップ部下方に位置し、且つ重ね合わされた状態の二枚のカップ台とを備え、右カップ部の下辺に縫着したカップ台は、左カップ部の下辺には縫着せずに遊離させ、左カップ部の下辺に縫着したカップ台は、右カップ部の下辺には縫着せずに遊離させている。
【００１１】
すなわち、乳房を保護する左右のカップ部とそれを支える二枚のカップ台において、右側のカップ部に縫着されたカップ台と左側のカップ部に縫着されたカップ台がそれぞれ反対側のカップ部に縫着されないことで、衝突等により片側のカップ部に大きな衝撃が加わった場合や急激な捩じり動作により乳房に遠心力が掛かる場合にも、反対側のカップ部に対する影響を減らすことができる。
【００１２】
また、例えば図１（Ａ）に示すように、左右のカップ部自体は前中心部分で繋がっているため、ジャンプ動作などで乳房に揺れが生じる場合には、反対側のカップ部にも力が伝わるので、その減衰を早めることもできる。
【００１３】
また、本願発明では、前記各カップ台を、バック布、及びアンダーテープに縫着してあり、これらカップ部とカップ台からなる部分を裏側として、これとは遊離したフロント布を表側に縫着して構成されている。
【００１４】
すなわち、左右のカップ部をそれぞれ支える二枚のカップ台が左右でそれぞれ遊離し、また、裏側に位置するこの部分（二枚のカップ台）と表側に位置するフロント布が遊離しているため、運動時の身体の動きに対して裏側は身体から離れようとせず、まず表側が動きに対応するため、スムーズに動作をとることができる。
【００１５】
また、バック側（ブラジャーの背面部分）では、例えば肌側に当たるバック（裏）布７〔図４（Ａ）参照〕、中間層になるバック中間布８〔図４（Ｂ）参照〕、表側に位置するバック（表）布９〔図４（Ｃ）参照〕で構成されていて肌側に位置するバック布７，８と身体をホールドするバック布９とを遊離させることで、身体の動きに対してホールド力をバランス良く保つことができ、ズレを防止することができる。
【００１６】
このように、本願発明では、裏側で保護と機能性を持たせ、表側で動きに対するホールド力を得ることができる。つまり、本願発明では、ブラジャーのフロントおよびバック両側においてそれぞれ表側と裏側を遊離するようにし、それによって、運動をスムーズに行えることができ、しかも身体とブラジャーのズレを起こりにくくすることができる。
【００１７】
また、激しい運動に対応するためには、アンダー部分のホールドが重要となり、必然的にアンダーテープ〔図１、図２参照〕は弾性の強い、比較的幅の広いテープを使うことになるが、これが圧迫感となり着用感を悪くする要因の一つでもある。また、この部分がズレてしまうと元の状態に戻すことも困難になる。そこで、例えば、この部分をテープだけに頼らずに二枚のカップ台４Ａ，４Ｂ〔図１（Ｃ）参照〕、フロント布６〔図１（Ａ）、図２（Ａ）参照〕、バック表布９〔図１（Ｂ）、図２（Ｃ）参照〕に弾性の強い素材を使用することでテープ部の圧迫感を軽減し着用感を良くすることができる。
【００１８】
また、本願発明では、カップ台の前中心下部とバック布の後中心下部をアンダーテープに縫着しないことでホールを設ける構成が好ましく、また、ブラジャーの裏側になるカップ台の前中心下部にホールを設けて、ブラジャーの表側になるフロント布にはホールを設けていない構成が好ましく、さらに、バック布は２重以上の構造として、後中心下部に少なくとも二つ以上のホールを設ける構成が好ましい。
【００１９】
すなわち、表側と裏側を遊離し、運動をスムーズに行い、しかも身体とブラジャーのズレを起こりにくくする効果をさらに高めるためアンダーテープ部分の前中心部分とアンダーテープ部分の後中心部分にホールを設ける。特に身体の捩じれ、前屈、後屈、腕を挙げたときなどホール自体が変形すること、表側と裏側のパーツ（例えば後述する二枚のカップ台４Ａ，４Ｂとフロント布６、そして、表側に位置するバック布と肌側に当たるバック布７，８）がそれぞれに変形することで、身体の動きに対応し、アンダーテープにかかる力を逃がし、ブラジャー本体が身体からズレにくくなり、着脱を容易にすることも可能になった。
【図面の簡単な説明】
【００２０】
【図１】（Ａ）は、本発明の一実施形態におけるブラジャー（この例ではスポーツ用のブラジャー）を裏返しながら（例えばマネキンに）着用させた状態での正面図である。（Ｂ）は、前記ブラジャーを裏返しながら着用させた状態での背面図である。（Ｃ）および（Ｄ）は、それぞれ、前記ブラジャーを裏返しながら着用させた状態での一方の側面図および他方の側面図である。
【図２】（Ａ）は、前記ブラジャーにおける着用させた状態での正面図である。（Ｂ）は、前記ブラジャーにおける着用させた状態での背面図である。（Ｃ）は、前記ブラジャーにおける着用させた状態での左側面図である。（Ｄ）は、前記ブラジャーにおける着用させた状態での右側面図である。（Ｅ）は、前記ブラジャーで用いるフロント布を示すパターン図である。
【図３】（Ａ）は、上記実施形態で用いる左カップ台における縫代を除いた状態のパターン図である。（Ｂ）は、上記実施形態で用いる右カップ台における縫代を除いた状態のパターン図である。（Ｃ）は、図３（Ａ）の左カップ台および図３（Ｂ）の右のカップ台を重ね合わせた状態を示す図である。（Ｄ）は、上記実施形態で用いる図３（Ａ）に示す左カップ台を示すパターン図で、このパターン図には左カップ部付けの縫代部分を実線で表示してある。
【図４】上記実施形態で用いる背面部分を構成する三つのパーツを示し、（Ａ）は、裏側に位置する（肌側に当たる）バック（裏）布の縫代を除いた状態のパターン図である。（Ｂ）は、中間層になるバック（中間）布の縫代を除いた状態のパターン図である。（Ｃ）は、表側に位置するバック（表）布の縫代を除いた状態のパターン図である。
【図５】（Ａ），（Ｂ）および（Ｃ）はそれぞれ、上記実施形態で用いる右カップ部を構成するパーツを示すパターン図である。
【図６】（Ａ）および（Ｂ）はそれぞれ、前記ブラジャーで用いる右カップ部を構成するパーツの変形例を示すパターン図である。
【図７】前記ブラジャーで用いるフロント布の変形例を示すパターン図である。
【図８】前記ブラジャーで用いる、図３（Ｄ）に対応するカップ台の変形例を示すパターン図である。
【発明を実施するための形態】
【００２１】
以下、本発明の実施形態について説明する。なお、これによって本発明は限定されるものではない。図１〜図５は、本発明の一実施形態（運動時に乳房の揺れを抑えるスポーツ用ブラジャー）を示す。
【００２２】
図１〜図５において、スポーツ用ブラジャーＤは、バスト（乳房）を覆う左右のカップ部２，１とカップ部下方に位置し、且つ重ね合わされた状態の二枚のカップ台４Ａ，４Ｂとを備えている。なお、着用者からみて左側の左カップ部２の下辺に縫着する方のカップ台を左カップ台４Ａと表現する一方、着用者からみて右側の右カップ部２の下辺に縫着する方のカップ台を右カップ台４Ｂと表現する。
【００２３】
そして、左カップ部２の下辺に縫着した左カップ台４Ａは、右カップ部１の下辺には縫着せずに遊離させてある。すなわち、左カップ部２の下辺Ｌ〔図１（Ａ）、図１（Ｄ）参照〕を左カップ台４Ａの左側上辺２０〔図３（Ａ）、図３（Ｄ）、図１（Ｄ）参照〕に縫着してある。図３（Ｄ）にはその縫代部分２０ａが示されている。一方、左カップ台４Ａの右側上辺２１〔図３（Ａ）、図１（Ａ）参照〕を右カップ部１の下辺Ｒ〔図１（Ａ）、図１（Ｃ）参照〕には縫着せずに遊離させてある。
【００２４】
また、右カップ部１の下辺に縫着した右カップ台４Ｂは、左カップ部２の下辺には縫着せずに遊離させてある。すなわち、右カップ部１の下辺Ｒ〔図１（Ｃ）参照〕を右カップ台４Ｂの右側上辺２３〔図３（Ｂ）、図１（Ｃ）参照〕に縫着し、右カップ台４Ｂの左側上辺２２〔図３（Ｂ）参照〕を左カップ部２の下辺Ｌ〔図１（Ａ）参照〕には縫着せずに遊離させてある。
【００２５】
さらに、上記ブラジャーＤは、各カップ台４Ａ，４Ｂを、図４（Ａ）〜図４（Ｃ）に示すバック布（７，８，９）及びアンダーテープ５に縫着してあり、これらカップ部２，１とカップ台４Ａ，４Ｂからなる部分を裏側として、これとは遊離したフロント布６〔図１（Ａ）、図２（Ａ）、図２（Ｃ）、図２（Ｄ）、図２（Ｅ）参照〕を表側に縫着して構成されている。図３（Ｃ）は、図３（Ａ）の左カップ台４Ａおよび図３（Ｂ）の右のカップ台４Ｂを重ね合わせた状態を示す図で、この実施形態では、図３（Ｃ）において、右のカップ台４Ｂを左カップ台４Ａの下に重ね合わせているが、カップ台４Ａ，４Ｂの重ね合わせの上下位置を逆に設定してもよく、カップ部に縫着されるカップ台がこの実施形態と逆になってもよい。
【００２６】
図１（Ａ）は上記ブラジャーＤを裏返しながら（例えばマネキンに）着用させた状態での正面図である。右カップ部１は、図５（Ａ）、図５（Ｂ）および図５（Ｃ）にもそれぞれ示すように、３分割のパ−ツ１Ｃ，１Ａおよび１Ｂから形成されている。左カップ部２は３分割のパ−ツ２Ｃ，２Ａおよび２Ｂから形成されている。パ−ツ１Ａ，１Ｂおよび１Ｃとパ−ツ２Ａ，２Ｂおよび２Ｃの素材は一般的な補正下着（ブラジャー）で使用されるカップ芯材で不織布、ウレタンやＷラッセル等である。そして、左右のカップ部２，１は前中心部でバストトップの高さ位置Ｔより低い位置までで縫合されている。図１（Ａ）におけるｂはその縫合箇所（繋ぎ合わせ箇所）である。そして、水平線Ｔはバストトップの高さ位置を示す。なお、左右のカップ部２，１の前中心部の縫合箇所（繋ぎ合わせ箇所）ｂは短いと左右のバスト（乳房）の融通性が高く、長いと融通性が低くなり、適宜設定可能であるが、バストトップの高さ位置Ｔより低く設定する必要がある。この実施形態では、縫合箇所（繋ぎ合わせ箇所）ｂがバストトップの高さ位置Ｔより下にｔ’低い位置から縫合されている。上述したように、左カップ部２の下辺Ｌは左カップ台４Ａの左側上辺２０と縫合されている。例えば図１（Ａ）、図１（Ｄ）におけるｃはその縫合箇所である。右カップ部１の下辺Ｒは右カップ台４Ｂの右側上辺２３と縫合されている。例えば図１（Ｃ）におけるｄはその縫合箇所である。
【００２７】
なお、左右のカップ部２，１それぞれを３分割のパーツ（２Ａ，２Ｂ，２Ｃ），（１Ａ，１Ｂ，１Ｃ）から構成する以外に２分割のパーツで構成してもよく、また、それぞれ１枚で構成してよい。左右のカップ部をそれぞれ１枚物で構成する場合は図６（Ａ）のようにダーツを設けたものを用いるのが好ましい。また、例えば右カップ部を例にとると、本発明では、右カップ部の変形例として、図６（Ａ）に示すメッシュ地の肌側（裏）カップＮと、図６（Ｂ）に示すメッシュ地の（表）カップＮ’との二つのパーツで構成してパットを挿入可能にしたものでもよい。すなわち、図６において、カップＮをカップＮ’の裏面側に重ね合わせた状態では脇側からパットが挿入可能なパット挿入口Ｓが形成されるようカップＮとカップＮ’の大きさが設定されている。すなわち、表側に位置するカップＮ’の裏面にカップＮを重ね合わせた状態でカップＮ’，Ｎの脇側を除く必要箇所同士が縫合されるが、図６（Ａ）に示すカップＮの脇辺部が、図６（Ｂ）に示すカップＮ’の脇辺側における二点鎖線で示す部分に位置することにより、脇辺部は縫合されずに脇辺部がパット挿入口Ｓとなる。
【００２８】
左カップ台４Ａは、左右の脇で、肌に当たる布（バック裏布）７〔図１（Ｃ），（Ｄ）参照〕、上記ブラジャーＤのバック側における最も表側に位置する布（バック表布）９〔図１（Ｂ），図２（Ｃ）（Ｄ）参照〕及びアンダーテープ５〔図１（Ｃ）、図１（Ｄ）参照〕に縫着され右カップ部１には縫着されずに遊離している。すなわち、左カップ台４Ａの左右両脇辺２４〔図３（Ａ）参照〕がバック裏布７の対応する両脇辺４０とバック表布９の対応する両脇辺４１に縫着されている。
【００２９】
又、右カップ台４Ｂは、左右の脇でバック裏布７、バック表布９及びアンダーテープ５に縫着され左カップ部２には縫着されずに遊離している。すなわち、右カップ台４Ｂの左右両脇辺２７〔図３（Ｂ）参照〕がバック裏布７の対応する両脇辺４０とバック表布９の対応する両脇辺４１に縫着されている。
【００３０】
さらに、左カップ台４Ａと右カップ台４Ｂの二枚は重ね合わされ〔図３（Ｃ）参照〕、左右のカップ部２，１の下辺でお互いに縫着されず（左カップ台４Ａと右カップ台４Ｂを重ねた状態で右側上辺２１、左側上辺２２は遊離した状態となる）、それ以外の部分で縫着されている。又、左右のカップ台４Ａ，４Ｂは前中心の下部を逆Ｕ字形にくり、アンダーテープ５と縫合しないことでホールｅ〔図３、例えば図１（Ａ）参照〕を設けている。なお、例えば左のカップ台４Ａの形状を図３（Ｄ）に示す形状から図８に示す形状に適宜変更してもよい。同様に右のカップ台４Ｂの形状を図３（Ｂ）に示す形状から図８に示す形状に対応する形状に適宜変更してもよい。
【００３１】
又、左右のカップ部２，１と二枚のカップ台４Ａ，４Ｂからなる裏側は、フロント布６と左右の脇、左右のストラップ（３Ｂ，１０Ｂ），（３Ａ，１０Ａ）、アンダーテープ５及び前衿まわりの一部分と縫着され、左右のカップ部２，１の上辺部分Ｕ〔図１（Ａ）参照〕を長い距離で縫着しないことで、フロント布６から遊離させてある。すなわち、左右のカップ部２，１と二枚のカップ台４Ａ，４Ｂからなる裏側とフロント布６は以下のように縫着されている。
（Ａ）上記ブラジャーＤの左右の脇の箇所では、左右のカップ台４Ａ，４Ｂの左右両脇辺２４および左右両脇辺２７は、それぞれ、フロント布６の両脇対応部分２８および２８〔例えば図２（Ｃ）、図２（Ｄ）参照〕と縫着されている。また、
（Ｂ）上記ブラジャーＤの左右のアームホールａ，ａのフロント箇所では、左右のカップ台４Ａ，４Ｂの左右両傾斜辺３０および左右両傾斜辺３１〔例えば図３（Ａ）、図３（Ｂ）参照〕は、それぞれ、フロント布６と縫着されている。例えば、図２（Ｃ）において、左カップ台４Ａの左側上辺２０に連なる傾斜辺３０がフロント布６のアームホール部分に縫着されている。また、図２（Ｄ）において、左カップ台４Ａの右側上辺２１に連なる傾斜辺３０がフロント布６のアームホール部分に縫着されている。一方、カップ部２および１の外側側辺Ｌ’およびＲ’〔例えば図１（Ａ）参照〕は、それぞれ、カップ台４Ａ，４Ｂの左右両傾斜辺３０および左右両傾斜辺３１の縫着箇所よりも上側においてフロント布６と縫着されている。例えば、図２（Ｄ）において、右カップ部１の外側側辺Ｒ’はフロント布６のアームホール部分に縫着されているが、この場合は傾斜辺３０とフロント布６の縫着箇所よりも上側において間隔Ｙをあけて縫着されている。一方、図２（Ｃ）において、左カップ部２の外側側辺Ｌ’はフロント布６のアームホール部分に縫着されているが、この場合は傾斜辺３０とフロント布６の縫着箇所よりも上側において間隔をあけずに左カップ部２の外側側辺Ｌ’がフロント布６に縫着されている。なお、図２（Ｄ）において、前記間隔Ｙは外側側辺Ｒ’とフロント布６の縫着箇所と傾斜辺３０とフロント布６の縫着箇所間の間隔であるが、図示した前記間隔Ｙがカップ台によるホールド力が最大に発揮できる最小の長さである。この間隔Ｙよりも短い長さにするとカップに縫着しないカップ台の辺（２１）が肌に当たり、あとが残ったり着用時に違和感が生じたりする。
（Ｃ）上記ブラジャーＤの左右の、ストラップ部（１０Ａ、１０Ｂ）のフロント端部には、それぞれ、フロント布６の左右の上端と、左右のカップ部２および１の左右最上辺２ａおよび１ａ〔例えば図１（Ａ）参照〕とが縫着されている。またバック端部には、バック布７,８の左右最上辺が縫着されている。
（Ｄ）上記ブラジャーＤのアンダーテープ５のフロント箇所には、左右のカップ台４Ａ，４Ｂの下辺３２および３３は前記ホールｅを除いた状態でフロント布６の下辺Ｍ全体〔例えば図１（Ａ）、図２（Ａ）参照〕と縫着されている。また、
（Ｅ）例えば図２（Ａ）、図１（Ａ）に示すように、上記ブラジャーＤのフロント衿まわりｆの箇所では、フロント布６の左右衿まわり上端部分６ｂ，６ｂ〔例えば図２（Ａ）、図１（Ａ）参照〕と、左右のカップ部２および１を跨ぐカップ上辺（カップ上辺部分）Ｕのうちの左右衿まわり上端部分２ｂおよび２ｂ〔例えば図１（Ａ）参照〕とが縫着されている。なお、上述したカップ上辺（カップ上辺部分）Ｕがフロント布６と遊離する距離、そして、図１（Ｃ）に示すように、右カップ部１に縫着しない左カップ台４Ａの右側上辺２１から外側に連なる脇側（カップ台４Ａの右傾斜辺３０）が縫い合わされる位置（前述した外側側辺Ｒ’とフロント布６の縫着箇所と傾斜辺３０とフロント布６の縫着箇所間の間隔Ｙ）は、必要なホールド力の強弱、ラグビー、レスリング、バスケットボール、バレーボール等の競技種目などによっても変更は可能である。また、図８に示す左カップ台４Ａを用いた場合、左カップ台４Ａの右側上辺２１から外側に連なる脇側（カップ台４Ａの右傾斜辺３０ａ）が図３（Ａ）に示す左カップ台４Ａの右傾斜辺３０よりも短い長さに設定されているので、前記間隔Ｙを、図１（Ｃ）に示した場合よりも長くすることができる。さらに、
（Ｆ）図２（Ａ）、図２（Ｃ）、図２（Ｄ）、図２（Ｅ）に示すように、フロント布６を立体にするためフロント布６は左右のカップ部２および１に沿わすように左右二組のダーツｉ，ｊが設けられている。左右一組のダーツｉ，ｉは、フロント布６の下辺Ｍ側から二箇所をカッティングし、カッティングした箇所ｉ’〔例えば図２（Ｅ）参照〕を縫うことで形成されている。また、左右一組のダーツｊ，ｊは、図２（Ｅ）に示すように、フロント布６の前記脇部分２８および２８側から二箇所をカッティングした箇所ｊ’を縫うことで形成されている。このように、フロント布６は１枚の構成であるが、よりカップ部２，１側の形状に沿わすため、またはデザイン面からダーツの位置を変更したり、ダーツの本数を増減したり、またはフロント布６を複数枚の構成にすることも可能である。また、図７に示すように、ダーツを設けていないフロント布６を用いてもよい。
【００３２】
図１（Ｂ）は着用させた状態での上記ブラジャーＤを裏返した背面図である。上記ブラジャーＤの背面部はその全体に使用するバック布７〔図４（Ａ）参照〕、バック布７から後脇部分を除いたバック布８〔図４（Ｂ）参照〕、バック布７の脇の高さと同等の高さを有し、バック布７の上部をカットしたバック布９〔図４（Ｃ）参照〕から形成されている。詳しくは、バック布７は、肌に当たる布（バック裏布）で、上記ブラジャーＤのバック側における最も裏側に位置する。バック布９は、上記ブラジャーＤのバック側における最も表側に位置する布（バック表布）である。バック布８は、両者７，９間に位置する中間層になる布（バック中間布）である。そして、バック裏布７はバック中間布８を当布として縫着して２重構造としている。すなわち、図４（Ａ）、図４（Ｂ）に示すように、両者７，８の中心軸Ｓ，Ｓ’を重ねた状態でバック中間布８の両脇辺８ａ，８ａをバック裏布７の表側に縫合している。７ａは、バック裏布７における前記脇辺８ａの縫合箇所である。なお、バック裏布７はバック中間布８を当布として縫着して２重構造としており、運動の強弱や快適性の向上などで構成する素材は適宜変更可能であり、下部に設けたホールＨもバック裏布７、バック中間布８でそれぞれに単独で大きさを設定してもよい。また、バック布９の下部に設けたホールｈ〔図２（Ｂ）参照〕も求める運動性に対処するため大きさを適宜変更してもよい。この実施形態では、バック裏布７とバック中間布８にはメッシュ地を使用している。さらに、この実施形態では、上記ブラジャーＤのバック側を、バック表布９も含めて３重構造としている。バック裏布７、バック中間布８は後中心下部を逆Ｕ字形に同形にくり、バック表布９の後中心下部も逆Ｕ字形にくり、バック表布９の後中心下部のくりは前記布７，８のそれよりも小さくし、これら布７，８，９の下辺ｇをアンダーテープ５に縫着することで大小二つのホールＨ，ｈを形成する。なお、後中心下部のホールＨ，ｈの大きさ、そして、前中心下部のホールｅの大きさは、必要とする運動性、ラグビー、レスリング、バスケットボール、バレーボール等の競技種目などによって変更は可能である。バック裏布７、バック中間布８は重ねて縫合し、バック表布９とは遊離するように、脇とアームホール部分及びアンダーテープ５の一部分に縫着されている。言い換えると、バック裏布７、バック中間布８とバック表布９はアームホール部、脇、アンダーテープ部分に縫着されて、バック表布９の凹状の中央上辺５０、バック表布９の後中心下部のホール部分５１では縫着されずに遊離しているとともに、バック裏布７とバック中間布８の後中心下部のホール部分５２も縫着されずに遊離している。すなわち、重ねて縫合されたバック裏布７、バック中間布８からなる裏側とバック表布９は以下のように縫着されている。
（１）上記ブラジャーＤの両脇の箇所では、バック裏布７の両脇辺４０，４０は、バック表布９の両脇辺４１，４１と縫着されている。また、
（２）上記ブラジャーＤの左右のアームホールａ，ａのバック箇所では、バック表布９の前記中央上辺５０を除く左右上辺６０，６０は、図４において左右の領域Ｋ，Ｊを含む上辺と縫着されている。また、
（３）上記ブラジャーＤのアンダーテープ５のバック箇所では、バック表布９のホール部分５１の下辺部分を除く下辺ｇと、前記バック裏布７、バック中間布８のホール部分５２の下辺部分を除く下辺ｇとがアンダーテープ５の上端部分５ａに縫着されている。すなわち、バック裏布９のホール部分５１を除く（ホールｈを除く）下辺ｇ全体と、そして、バック裏布７、バック中間布８のホール部分５２を除く（ホールＨを除く）下辺ｇ全体とがアンダーテープ５のバック側における上端部分５ａと縫着されている。
【００３３】
上記ブラジャーＤのストラップ３Ａ，３Ｂは裏側、ストラップ１０Ａ，１０Ｂは表側のパーツとなり、この実施形態ではストラップ部分を二重構造にしてある。そして、これらストラップ部分は表に弾性の強い素材を使用し、裏側にカップ部と同様の芯材を使用して伸びを抑えることでジャンプなどによる乳房の揺れを初期の段階で軽減することができる。このように裏側に使用する材料を変更することでストラップ部分の伸縮性を調整して、必要な運動に対応させることができる。なお、本発明では、ストラップ部分は、上記二重構造の他に１枚の構成とすることも可能であり、また、表ストラップ部分をフロント布とひと続きに構成してもよく、また、バック布とひと続きに構成してもよく、適宜設定可能である。
【００３４】
使用するアンダーテープ５は、縫い合わせる部分が挟み込めるようにＹ字形状の断面をもったテープである。すなわち、肌に当たる部分なので段差をできるだけ少なくしている。つまり、本発明で使用する前記テープは生地端を包み込む仕様として、肌側がフラットになるようにソフトタッチに構成して、また生地同士の縫い合わせも縫代が肌に当たらないフラットな仕様として見栄えを良くするとともに、着用感も良くすることができる。
【００３５】
また、この実施形態では、衿まわり、アームホール、左右のカップ部２および１を跨ぐカップ上辺（カップ上辺部分）Ｕと、カップ部下辺と縫い合わさないカップ台の端（左カップ台４Ａの右側上辺２１、右カップ台４Ｂの左側上辺２２）と、上記ブラジャーＤの前後の各ホール部ｅ，ｈ，Ｈ（すなわち、左右のカップ台４Ａ，４Ｂの前中心の下部に設けたホールｅ，ｅ、バック裏布９のホールｈ、そして、バック裏布７、バック中間布８のホールＨ）と、バック表布９の凹状の中央上辺５０とには、二つ折りのストレッチーテープを使用している。例えば、左カップ台４Ａについていえば、図１（Ｃ）に示す７０が二つ折りのストレッチテープであり、ホール部Ｈについていえば、図１（Ｂ）に示す７１が二つ折りのストレッチテープであり、ホール部ｈについていえば、図１（Ｂ）に示す７２が二つ折りのストレッチテープである。
【００３６】
また、この実施形態では、ホールド力をあまり必要としないバック裏布７、バック中間布８の重なり部分、左右のストラップ（３Ｂ，１０Ｂ），（３Ａ，１０Ａ）における肌側ストラップ３Ｂ，３Ａ、左右のカップ部２，１の肌側には、メッシュ地を使用しており、これにより、蒸れ防止と吸汗性（吸湿、速乾性）の向上を図ることができる。
【００３７】
なお、フロント布６にホールを設けないのは、運動等である程度動いたときに胸がずれ易くなるからである。すなわち、ホールド力が弱くなるためである。
【００３８】
また、上記ブラジャーは、スポーツに使用することを主な目的として説明しているが、本発明はハーフトップなどバスト（乳房）を覆う衣料に応用できるものである。
【符号の説明】
【００３９】
１          右のカップ部
２          左のカップ部
４Ａ        左カップ台
４Ｂ        右カップ台
５          アンダーテープ
６          フロント布
７，８，９  バック布
Ｒ          右カップ部の下辺
Ｌ          左カップ部の下辺
【図１】
0006731257.tif 000002
【図２】
0006731257.tif 000003
【図３】
0006731257.tif 000004
【図４】
0006731257.tif 000005
【図５】
0006731257.tif 000006
【図６】
0006731257.tif 000007
【図７】
0006731257.tif 000008
【図８】
0006731257.tif 000009